【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
データ入力部とデータ記憶部と部分空間作成部とモデル記憶部と類似度算出部と類似度記憶部と座標値算出部と結果出力部からなるデータ分析装置であって、
前記データ入力部は、
継続した評価対象時期のｐ個の指標からなるサンプルデータをＮサンプル入力し、前記データ記憶部に記録するデータ記録手段を備え、
前記部分空間作成部は、
前記データ記憶部から読み出した所定の評価対象時期前の一定期間におけるＮサンプルの各サンプルデータごとに、ｐ次元以下の基底ベクトルからなるＮ個の第１の部分空間を作成する第１の部分空間作成手段と、
前記データ記憶部から読み出した前記所定の評価対象時期におけるＮサンプルの各サンプルデータごとに、ｐ次元以下の基底ベクトルからなるＮ個の第２の部分空間を作成する第２の部分空間作成手段と、
前記Ｎ個の第１の部分空間と前記Ｎ個の第２の部分空間を前記モデル記憶部に記録するモデル記録手段と、を備え、
前記類似度算出部は、
前記モデル記憶部から読み出した前記Ｎ個の第１の部分空間と前記Ｎ個の第２の部分空間のサンプル毎の部分空間どうしがなす角度を算出することにより２Ｎ個の各サンプル間の類似度を求める類似度算出手段と、
前記求められた各サンプル間の前記類似度を、行と列が同じ２Ｎのサンプルの並びであり、かつ、前記類似度を要素とする対称行列として前記類似度記憶部に記録する類似度記録手段と、を備え、
前記座標値算出部は、
前記類似度記憶部から読み出した前記対称行列に対応する２Ｎ個の二次元座標値を求め、
前記結果出力部は、
前記座標値算出部が求めた各二次元座標値を出力する出力手段を備える、
ことを特徴とするデータ分析装置。
【請求項２】
前記座標値算出部は、
前記類似度記憶部から読み出した前記対称行列に対して多次元尺度法を適用して２Ｎ個の前記二次元座標値を算出するものであることを特徴とする請求項１記載のデータ分析装置。
【請求項３】
前記結果出力部は、
前記座標値算出部が求めた各二次元座標値に対応してサンプルを示す識別子を二次元座標上に配置して表示するものであることを特徴とする請求項１又は２に記載のデータ分析装置。
【請求項４】
前記結果出力部は、
各サンプルごとに、前記座標値算出部が求めた前記所定の評価対象時期前の一定期間における二次元座標値から前記所定の評価対象時期における二次元座標値に向けて配置された矢印を表示するものであることを特徴とする請求項１〜３のいずれか１項に記載のデータ分析装置。
【請求項５】
データ入力部とデータ記憶部と部分空間作成部とモデル記憶部と類似度算出部と類似度記憶部と座標値算出部と結果出力部からなるデータ分析装置に用いられるデータ分析方法であって、
前記入力部が、
継続した評価対象時期のｐ個の指標からなるサンプルデータをＮサンプル入力し、前記データ記憶部に記録するデータ記録過程と、
前記部分空間作成部が、
前記データ記憶部から読み出した所定の評価対象時期前の一定期間におけるＮサンプルの各サンプルデータごとに、ｐ次元以下の基底ベクトルからなるＮ個の第１の部分空間を作成する第１の部分空間作成過程と、
前記データ記憶部から読み出した前記所定の評価対象時期におけるＮサンプルの各サンプルデータごとに、ｐ次元以下の基底ベクトルからなるＮ個の第２の部分空間を作成する第２の部分空間作成過程と、
前記Ｎ個の第１の部分空間と前記Ｎ個の第２の部分空間を前記モデル記憶部に記録するモデル記録過程と、
前記類似度算出部が、
前記モデル記憶部から読み出した前記Ｎ個の第１の部分空間と前記Ｎ個の第２の部分空間のサンプル毎の部分空間どうしがなす角度を算出することにより２Ｎ個の各サンプル間の類似度を求める類似度算出過程と、
前記求められた各サンプル間の前記類似度を、行と列が同じ２Ｎのサンプルの並びであり、かつ、前記類似度を要素とする対称行列として前記類似度記憶部に記録する類似度記録過程と、
前記座標値算出部が、
前記類似度記憶部から読み出した前記対称行列に対応する２Ｎ個の二次元座標値を求める座標値算出過程と、
前記結果出力部が、
前記求めた二次元座標値を出力する出力過程と
を含んでいることを特徴とするデータ分析方法。
【手続補正２】
【補正対象書類名】明細書
【補正対象項目名】００２０
【補正方法】変更
【補正の内容】
【００２０】
上記課題を解決するため請求項１記載の発明は、データ入力部とデータ記憶部と部分空間作成部とモデル記憶部と類似度算出部と類似度記憶部と座標値算出部と結果出力部からなるデータ分析装置であって、前記データ入力部は、継続した評価対象時期のｐ個の指標からなるサンプルデータをＮサンプル入力し、前記データ記憶部に記録するデータ記録手段を備え、前記部分空間作成部は、前記データ記憶部から読み出した所定の評価対象時期前の一定期間におけるＮサンプルの各サンプルデータごとに、ｐ次元以下の基底ベクトルからなるＮ個の第１の部分空間を作成する第１の部分空間作成手段と、前記データ記憶部から読み出した前記所定の評価対象時期におけるＮサンプルの各サンプルデータごとに、ｐ次元以下の基底ベクトルからなるＮ個の第２の部分空間を作成する第２の部分空間作成手段と、前記Ｎ個の第１の部分空間と前記Ｎ個の第２の部分空間を前記モデル記憶部に記録するモデル記録手段と、を備え、前記類似度算出部は、前記モデル記憶部から読み出した前記Ｎ個の第１の部分空間と前記Ｎ個の第２の部分空間のサンプル毎の部分空間どうしがなす角度を算出することにより２Ｎ個の各サンプル間の類似度を求める類似度算出手段と、前記求められた各サンプル間の前記類似度を、行と列が同じ２Ｎのサンプルの並びであり、かつ、前記類似度を要素とする対称行列として前記類似度記憶部に記録する類似度記録手段と、を備え、前記座標値算出部は、前記類似度記憶部から読み出した前記対称行列に対応する２Ｎ個の二次元座標値を求め、前記結果出力部は、前記座標値算出部が求めた各二次元座標値を出力する出力手段を備える、ことを特徴とする。
【手続補正３】
【補正対象書類名】明細書
【補正対象項目名】００２１
【補正方法】変更
【補正の内容】
【００２１】
請求項２記載の発明は、前記座標値算出部は、前記類似度記憶部から読み出した前記対称行列に対して多次元尺度法を適用して２Ｎ個の前記二次元座標値を算出するものであることを特徴とする。
【手続補正４】
【補正対象書類名】明細書
【補正対象項目名】００２２
【補正方法】変更
【補正の内容】
【００２２】
請求項３記載の発明は、前記結果出力部は、前記座標値算出部が求めた各二次元座標値に対応してサンプルを示す識別子を二次元座標上に配置して表示するものであることを特徴とする。
【手続補正５】
【補正対象書類名】明細書
【補正対象項目名】００２３
【補正方法】変更
【補正の内容】
【００２３】
請求項４記載の発明は、前記結果出力部は、各サンプルごとに、前記座標値算出部が求めた前記所定の評価対象時期前の一定期間における二次元座標値から前記所定の評価対象時期における二次元座標値に向けて配置された矢印を表示するものであることを特徴とする。
【手続補正６】
【補正対象書類名】明細書
【補正対象項目名】００２４
【補正方法】変更
【補正の内容】
【００２４】
請求項５記載の発明は、データ入力部とデータ記憶部と部分空間作成部とモデル記憶部と類似度算出部と類似度記憶部と座標値算出部と結果出力部からなるデータ分析装置に用いられるデータ分析方法であって、前記入力部が、継続した評価対象時期のｐ個の指標からなるサンプルデータをＮサンプル入力し、前記データ記憶部に記録するデータ記録過程と、前記部分空間作成部が、前記データ記憶部から読み出した所定の評価対象時期前の一定期間におけるＮサンプルの各サンプルデータごとに、ｐ次元以下の基底ベクトルからなるＮ個の第１の部分空間を作成する第１の部分空間作成過程と、前記データ記憶部から読み出した前記所定の評価対象時期におけるＮサンプルの各サンプルデータごとに、ｐ次元以下の基底ベクトルからなるＮ個の第２の部分空間を作成する第２の部分空間作成過程と、前記Ｎ個の第１の部分空間と前記Ｎ個の第２の部分空間を前記モデル記憶部に記録するモデル記録過程と、前記類似度算出部が、前記モデル記憶部から読み出した前記Ｎ個の第１の部分空間と前記Ｎ個の第２の部分空間のサンプル毎の部分空間どうしがなす角度を算出することにより２Ｎ個の各サンプル間の類似度を求める類似度算出過程と、前記求められた各サンプル間の前記類似度を、行と列が同じ２Ｎのサンプルの並びであり、かつ、前記類似度を要素とする対称行列として前記類似度記憶部に記録する類似度記録過程と、前記座標値算出部が、前記類似度記憶部から読み出した前記対称行列に対応する２Ｎ個の二次元座標値を求める座標値算出過程と、前記結果出力部が、前記求めた二次元座標値を出力する出力過程とを含んでいることを特徴とする。